(57)【要約】【課題】従来の巻替機に特別な改造を加えることなく短尺ロールへの巻替を能率的に行うと共に、巻芯の循環使用を容易とし、巻芯費用の縮減をはかる。【解決手段】長尺原反ロールＲからウエブＷを巻き戻し、短尺ロールに巻替える巻替機において、巻芯外径の拡縮可能な円筒状巻芯４を使用し、縮小状態で両端よりテーパーコーン状ボス４５を押し込み、筒形状を拡大してウエブＷを巻取り、巻取り終了後、テーパーコーン状ボス４５を退去させて筒形状を縮小して巻芯４を引き抜き、巻取ロールＲ′をコアレスロール製品Ｍとして取り外す一方、引き抜かれた巻芯４を昇降可能な第１の巻芯リフター８上で受止し、下降させて、転送台１０を介して巻芯供給部下部の第２の巻芯リフター側に転送し、該リフター９の上昇により巻芯を巻替機の巻芯供給部１１に供給し、繰り返し使用をはかるようにする。【選択図】      図１
0003132191.tif 000002
【実用新案登録請求の範囲】
【請求項１】
長尺原反ロールからウエブを巻き戻し、短尺ロールに巻き替える巻替機であって、巻芯外径の拡縮可能な円筒状巻芯を用い、筒形状を縮小状態で両端チャックのテーパーコーン状ボスを押し込み、筒形状を拡大してウエブを巻き取り、巻き取り終了後、テーパーコーン状ボスを退去させて筒形状を縮小して巻取芯を引き抜き、巻取ロールをコアレスロール製品として取り外す構成からなると共に、巻芯引き抜き位置の下方に引き抜かれた巻芯を受止し、下降する昇降可能な第１の巻芯リフターを設け、かつ、巻芯供給部の下部に前記下降した第１の巻芯リフターより転送台を介して転送される巻芯を上部の巻芯供給部に供給する昇降可能な第２の巻芯リフターを配設してなることを特徴とする巻芯を循環使用可能とした巻替機。
【請求項２】
円筒状巻芯を把持する両端チャック寸法を紙管巻芯用のチャック寸法と同一にする請求項１記載の巻芯を循環使用可能とした巻替機。
【考案の詳細な説明】
【技術分野】
【０００１】
本考案は拡縮可能な巻芯を用い、巻取り後、縮小して巻芯を抜き取り、巻取ロールをコアなし製品として取り出す一方、抜き取った巻芯を循環使用に供する巻替機に関するものである。
【背景技術】
【０００２】
現在、市販されているクッキングシート，アルミホイル等は５ｍ，８ｍ，１０ｍ巻等であるが、これらは家庭で使用されるため、通常、紙管に短尺で巻かれており、図４に示す如く紙管２０両端にチャック２１のテーパーコーン状ボスを押し込み、保持して巻取っている。しかし、短尺であることから巻芯にかかる費用が高く、巻芯なしで巻き取ることが求められている。
【０００３】
ところが、巻芯なしで巻き取るには巻かれるシートの物性にもよるが、通常、専用の巻替機が必要となる。そこで、上記巻芯なしでウエブを巻き取る手段として紙管に代わり拡縮可能な巻芯を使用し、巻き取り時は拡大状態で巻芯の働きをし、巻き終えた後は縮小させて巻取ロールから引き抜き、巻芯なしの状態とすると共に、引き抜いた巻芯は次の巻取芯として繰り返し使用することが提案されている。（例えば特許文献１参照）
【特許文献１】特開２００４−２１７３９７号公報
【考案の開示】
【考案が解決しようとする課題】
【０００４】
しかし、上記巻芯なしロールを得る巻き取りにおいて、引き抜いた巻芯を繰り返し使用するとしても、その具体的な手段は示されていない。本考案は上述の如き実状に対し、特に効果的な巻芯繰り返し使用の機構を見出すことにより従来機に特別な改造を加えることなく、短尺ロールの巻き替えを効率的に行い、かつコアレスロールとして提供すると共に巻芯の循環使用を容易にして巻芯費用を縮減せしめることを目的とするものである。
【課題を解決するための手段】
【０００５】
即ち、上記目的を達成する本考案は、長尺原反ロールからウエブを巻き戻し、短尺ロールに巻き替える巻替機であって、巻芯外径の拡縮可能な円筒状巻芯を用い、筒形状を縮小状態で両端チャックのテーパーコーン状ボスを押し込み、筒形状を拡大してウエブを巻き取り、巻き取り終了後、テーパーコーン状ボスを退去させて筒形状を縮小して巻芯を引抜き、巻取ロールをコアレスロール製品として取り外す構成からなると共に、巻芯引き抜き位置の下方に引き抜かれた巻芯を受止し下降する昇降可能な第１の巻芯リフターを設け、かつ巻芯供給部の下部に前記下降した第１の巻芯リフターより転送台を介し転送される巻芯を上部の巻芯供給部に供給する昇降可能な第２の巻芯リフターを配設してなることを特徴とする。なお、巻き替える巻芯を把持する両端チャック寸法は紙管巻芯用のチャック寸法と同一寸法とするのが好適である。
【考案の効果】
【０００６】
上記本考案装置によれば、巻芯の外径を拡縮可能として巻芯外径を拡大して巻かれたウエブを巻芯を縮小して抜き取り、コアレス製品を得る一方、抜き取られた巻芯の外径を通常に戻し、第１，第２の巻芯リフターを利用することにより循環して繰り返し使用することができるから、紙管時と同様に容易に特別な改造なくして巻芯のない短尺ロールを自動的に、かつ能率的に生産することができる効果を有する。
【考案を実施するための最良の形態】
【０００７】
以下、更に添付図面を参照し、本考案の具体的な実施の態様を説明する。
【０００８】
図１は本考案巻替機に使用する多軸ターレット巻取機であり、長尺原反ロールＲより巻き戻されウエブＷはガイドローラ１，２を経てターレット装置Ｔに送られ、巻取位置ｂで巻取チャックで両端を保持し、外径を拡大して待機している外径の拡縮可能な円筒状巻芯４にタッチローラ３を圧接させて短尺ロールとして巻き替えられる。この巻き替えられた短尺の巻取ロールＲ′は満巻後、ターレット装置Ｔの回動に従って移行し、移行位置と巻取位置の間で切断刃５によってウエブが切断され、切断端を次の巻芯に巻き付かせる一方、巻き取った短尺の巻取ロールＲ′は短尺ロール製品Ｍとして放出位置ｃへ進められる。そして、ロール製品Ｍの放出に先立って巻芯４はロール押え６でロール製品を押さえて、引き抜き用の巻芯ホルダー７により引き抜かれ取り出される。
【０００９】
即ち、巻芯４の引き抜きは、先ずターレット装置Ｔの回動により巻取ロールＲ′が短尺ロール製品Ｍとして放出位置ｃに至った時、巻芯チャックを開き、巻芯外径を縮小して巻芯取り出し位置で巻取ロール押さえ６で巻取ロールＲ′を押さえて図２に示すように巻芯ホルダー７で巻芯を引き抜く。そして、引き抜かれた巻芯４はその下部に昇降する第１の巻芯リフター８が配設されていて、これが上昇状態でその受台８ａに引き抜かれた巻芯４を受け取り、下降する。
【００１０】
一方、ターレット装置Ｔにおいて、巻取位置ｂに先立つ巻芯を供給する位置ａには供給する巻芯を保持し、順次、供給する巻芯供給部１１が設けられていて、その下部に該供給部１１に巻芯４を上昇させる第２の巻芯リフター９が設置され、前記第１の巻芯リフター８と第２の巻芯リフター９の間に第１の巻芯リフター８より第２の巻芯リフター９に巻芯４を転送する転送台１０が介設されていて、図２の如く巻芯４は巻芯プッシャー１２により第１の巻芯リフター８の受台８ａより転送台１０上に押し出されると、第２の巻芯リフター９に向かって転送され、第２の巻芯リフター９上に載せられる。そして、第２のリフター９の上昇と共に転送された巻芯は再び巻芯供給部１１に供給され、順次、循環使用に供される。
【００１１】
かくして、長尺原反ロールＲから巻き戻されるウエブＷが短尺の巻取ロールＲ′として巻き替えられ、短尺の巻取ロール製品Ｍに形成され、巻芯放出位置において巻芯チャックが開かれ、巻芯が収縮することにより引き抜き位置でロール押え６で押えられて巻芯４は巻芯ホルダー７により引き抜かれ、短尺のコアレスロール製品Ｍが取り出される一方、巻芯ホルダー７により巻取ロールから引き抜かれた巻芯４は第１の巻芯リフター８上に受止され、巻芯リフター８の降下に伴って下降し、巻芯プッシャー１２により転送台１０上に押し出されて第２の巻芯リフター９側に転送され、第２のリフター９上で保持されて適宜、上昇して上方の巻芯供給部１１に保管され、爾後の繰り返し使用に供される。
【００１２】
なお、本発明において使用される巻芯４は上述のように巻取り後、巻取ロールより引き抜かれるため巻取り時、拡大し、巻取り終了後、縮小する拡縮構成を有することが肝要である。図３はかかる拡縮構成を有する巻芯の１例を示す。この巻芯４は外筒部４１が長さ方向に３分割され、収縮用ゴムリング４２により保持されて、両端チャック寸法を従前の紙管のチャック（図４参照）寸法と同一にして収縮可能となっており、筒部内部に拡縮用コイルばね４３が両端をカム板４４に止着されて内装されており、巻取り時、両端にチャックのテーパーコーン状ボス４５が押し込まれるとき、該ボス４５のテーパーコーン状ボス部とカム板４４との係合によりコイルばね４３が軸方向に圧縮，解放されて巻き取り時、外筒部４１は拡大し、巻き取り終了後に縮小されて巻取ロール製品より引き抜かれることになる。勿論、拡縮可能な巻芯であれば上記構成に限定されるものではない。
【００１３】
本考案装置は以上のようにして巻芯の拡縮によりウエブ巻取り時は巻取芯の役目を果たし、巻取り後は引き抜かれて巻芯のない巻取りロールとしてコアレス製品を提供することができると共に、引き抜かれた巻芯は次の巻取芯として循環されて繰り返し使用され、環境問題，省資源，コスト低減に対し頗る効果的である。
【図面の簡単な説明】
【００１４】
【図１】本考案に係る巻替え機全体の側面概要図である。
【図２】巻芯循環使用態様を示す作用説明図である。
【図３】本考案において使用する拡縮巻芯の１例を示し、（イ）は横断面概要図、（ロ）は縦断面図である。
【図４】既知の紙管例であり、（イ）は横断面図、（ロ）は紙管縦断面図である。
【符号の説明】
【００１５】
Ｒ：長尺原反ロール
Ｒ′：短尺巻取ロール
Ｍ：短尺巻取ロール製品
１，２：ガイドローラ
３：タッチローラ
４：巻芯
５：切断刃
６：巻取ロール押え
７：巻芯ホルダー
８：第１の巻芯リフター
９：第２の巻芯リフター
１０：転送台
【図１】
0003132191.tif 000003
【図２】
0003132191.tif 000004
【図３】
0003132191.tif 000005
【図４】
0003132191.tif 000006